(57)【要約】【課題】自動販売機の販売商品の購入とは別に、自動販売機のディスプレイ上で選択したクーポンまたは表示商品を取得することができるスマートベンディングシステム、スマートベンディングサーバ、スマートベンディング方法、および、スマートベンディングプログラムを提供することを課題とする。【解決手段】自動販売機の販売商品の決済時に、表示項目の選択画面を自動販売機の入出力部に表示させ、自動販売機の入出力部を介して表示項目が選択され、非接触型決済ツール読取部にて決済ツール読取処理が実行された場合、選択項目データを含む取得要求データを取得し、登録データおよび取得要求データに基づいて、表示項目データ等を端末装置に送信する。【選択図】図１
2020087220.tif 000002
【特許請求の範囲】
【請求項１】
入出力部と非接触型決済ツール読取部とを備えた自動販売機、入出力部を備えた端末装置、および、記憶部と制御部とを備えたスマートベンディングサーバを通信可能に接続したスマートベンディングシステムであって、
前記記憶部は、
前記端末装置での非接触型決済の登録者の登録者識別データとオンラインアカウントとを含む登録データを記憶する登録記憶手段と、
前記自動販売機に表示させるクーポンのクーポンデータを記憶する表示項目記憶手段と、
を備え、
前記制御部は、
前記自動販売機の販売商品の決済時に、前記クーポンの選択画面を前記自動販売機の前記入出力部に表示させるように制御する選択画面表示制御手段と、
前記自動販売機の前記入出力部を介して前記クーポンが選択され、前記非接触型決済ツール読取部にて決済ツール読取処理が実行された場合、選択項目データを含む取得要求データを取得する要求取得手段と、
前記登録データおよび前記取得要求データに基づいて、前記クーポンデータを前記端末装置に送信する要求処理手段と、
を備えたことを特徴とするスマートベンディングシステム。
【請求項２】
決済ツールの決済システム、入出力部と非接触型決済ツール読取部とを備えた自動販売機、入出力部を備えた端末装置、および、記憶部と制御部とを備えたスマートベンディングサーバを通信可能に接続したスマートベンディングシステムであって、
前記記憶部は、
前記端末装置での非接触型決済の登録者の登録者識別データとオンラインアカウントとを含む登録データを記憶する登録記憶手段と、
前記自動販売機に表示させる表示商品の商品データを記憶する表示項目記憶手段と、
を備え、
前記制御部は、
前記自動販売機の販売商品の決済時に、前記表示商品の選択画面を前記自動販売機の前記入出力部に表示させるように制御する選択画面表示制御手段と、
前記自動販売機の前記入出力部を介して前記表示商品が選択され、前記非接触型決済ツール読取部にて決済ツール読取処理が実行された場合、前記表示商品の決済要求データを含む取得要求データを取得する要求取得手段と、
前記登録データおよび前記取得要求データに基づいて、前記決済ツールの前記決済システムに前記決済要求データを送信する決済要求送信手段と、
前記決済システムから決済承認データを受信した場合、前記登録データおよび前記取得要求データに基づいて、前記表示商品の決済承認通知を前記端末装置および前記自動販売機に送信する要求処理手段と、
を備えたことを特徴とするスマートベンディングシステム。
【請求項３】
前記スマートベンディングサーバは、
更に、決済ツールの決済システムと通信可能に接続し、
前記要求取得手段は、
前記自動販売機にて前記販売商品が選択され、且つ、前記自動販売機の前記入出力部を介して前記クーポンが選択され、前記非接触型決済ツール読取部にて前記決済ツール読取処理が実行された場合、前記販売商品の決済要求データおよび前記選択項目データを含む前記取得要求データを取得し、
前記制御部は、
前記登録データおよび前記取得要求データに基づいて、前記決済ツールの前記決済システムに前記決済要求データを送信する決済要求送信手段、
を更に備え、
前記要求処理手段は、
更に、前記決済システムから決済承認データを受信した場合、前記登録データおよび前記取得要求データに基づいて、前記販売商品の決済承認通知を前記端末装置および前記自動販売機に送信することを特徴とする請求項１に記載のスマートベンディングシステム。
【請求項４】
前記端末装置および前記スマートベンディングサーバは、
更に、制御部を備えた、決済ツールの決済システムと通信可能に接続し、
前記決済ツールは、
外貨決済ツールであり、
前記要求取得手段は、
前記自動販売機にて前記販売商品が選択され、且つ、前記自動販売機の前記入出力部を介して前記クーポンが選択され、前記非接触型決済ツール読取部にて前記決済ツール読取処理が実行された場合、前記販売商品の決済要求データおよび前記選択項目データを含む前記取得要求データを取得し、
前記スマートベンディングサーバの前記制御部は、
前記登録データおよび前記取得要求データに基づいて、前記外貨決済ツールの前記決済システムに前記決済要求データを送信する決済要求送信手段、
を更に備え、
前記決済システムの制御部は、
前記決済要求データを承認するか否かを判定し、当該決済要求データを承認すると判定した場合、前記外貨決済ツールによる前記販売商品の決済承認通知を前記端末装置および前記自動販売機に送信する決済承認手段、
を備えたことを特徴とする請求項１に記載のスマートベンディングシステム。
【請求項５】
前記要求取得手段は、
前記自動販売機にて前記販売商品が選択され、且つ、前記自動販売機の前記入出力部を介して前記表示商品が選択され、前記非接触型決済ツール読取部にて前記決済ツール読取処理が実行された場合、前記販売商品および前記表示商品の決済要求データを含む前記取得要求データを取得し、
前記要求処理手段は、
前記決済システムから前記決済承認データを受信した場合、前記登録データおよび前記取得要求データに基づいて、前記販売商品および前記表示商品の前記決済承認通知を前記端末装置および前記自動販売機に送信することを特徴とする請求項２に記載のスマートベンディングシステム。
【請求項６】
前記表示商品は、
オンラインチケットであり、
前記要求処理手段は、
更に、前記決済システムから前記決済承認データを受信した場合、前記登録データおよび前記取得要求データに基づいて、前記オンラインチケットを前記端末装置に送信することを特徴とする請求項２または５に記載のスマートベンディングシステム。
【請求項７】
前記スマートベンディングサーバは、
更に、前記表示商品の販売システムと通信可能に接続し、
前記要求処理手段は、
更に、前記決済システムから前記決済承認データを受信した場合、前記登録データおよび前記取得要求データに基づいて、前記登録者への前記表示商品の発送要求データを前記販売システムに送信することを特徴とする請求項２または５に記載のスマートベンディングシステム。
【請求項８】
前記要求処理手段は、
更に、前記決済システムから前記決済承認データを受信した場合、前記表示商品の受取方法指示要求通知を前記端末装置に送信し、当該端末装置から当該表示商品の受取方法指示を受信した場合、前記登録データおよび前記取得要求データに基づいて、当該受取方法指示を含む前記発送要求データを前記販売システムに送信することを特徴とする請求項７に記載のスマートベンディングシステム。
【請求項９】
前記決済ツールは、
バーコード、二次元コード、電子マネー、非接触型デビットカード、非接触型クレジットカード、および／または、非接触型ポイントカードであることを特徴とする請求項２から８のいずれか一つに記載のスマートベンディングシステム。
【請求項１０】
前記選択画面表示制御手段は、
前記自動販売機の前記販売商品の決済時に、当該自動販売機の近隣施設、および／または、当該販売商品の関連商品の前記クーポンの前記選択画面を前記自動販売機の前記入出力部に表示させるように制御することを特徴とする請求項１に記載のスマートベンディングシステム。
【請求項１１】
前記選択画面表示制御手段は、
前記自動販売機の前記販売商品の決済時に、最新の前記表示商品、流行中の前記表示商品、当該販売商品の購買層をターゲットとする前記表示商品、および／または、前記自動販売機の前記入出力部にて撮影された利用者をターゲットとする前記表示商品の前記選択画面を前記自動販売機の前記入出力部に表示させるように制御することを特徴とする請求項２に記載のスマートベンディングシステム。
【請求項１２】
入出力部と非接触型決済ツール読取部とを備えた自動販売機、および、入出力部を備えた端末装置に通信可能に接続された、記憶部と制御部とを備えたスマートベンディングサーバであって、
前記記憶部は、
前記端末装置での非接触型決済の登録者の登録者識別データとオンラインアカウントとを含む登録データを記憶する登録記憶手段と、
前記自動販売機に表示させるクーポンのクーポンデータを記憶する表示項目記憶手段と、
を備え、
前記制御部は、
前記自動販売機の販売商品の決済時に、前記クーポンの選択画面を前記自動販売機の前記入出力部に表示させるように制御する選択画面表示制御手段と、
前記自動販売機の前記入出力部を介して前記クーポンが選択され、前記非接触型決済ツール読取部にて決済ツール読取処理が実行された場合、選択項目データを含む取得要求データを取得する要求取得手段と、
前記登録データおよび前記取得要求データに基づいて、前記クーポンデータを前記端末装置に送信する要求処理手段と、
を備えたことを特徴とするスマートベンディングサーバ。
【請求項１３】
入出力部と非接触型決済ツール読取部とを備えた自動販売機、入出力部を備えた端末装置、および、記憶部と制御部とを備えたスマートベンディングサーバを通信可能に接続したスマートベンディングシステムに実行させるためのスマートベンディング方法であって、
前記記憶部は、
前記端末装置での非接触型決済の登録者の登録者識別データとオンラインアカウントとを含む登録データを記憶する登録記憶手段と、
前記自動販売機に表示させるクーポンのクーポンデータを記憶する表示項目記憶手段と、
を備え、
前記制御部で実行させる、
前記自動販売機の販売商品の決済時に、前記クーポンの選択画面を前記自動販売機の前記入出力部に表示させるように制御する選択画面表示制御ステップと、
前記自動販売機の前記入出力部を介して前記クーポンが選択され、前記非接触型決済ツール読取部にて決済ツール読取処理が実行された場合、選択項目データを含む取得要求データを取得する要求取得ステップと、
前記登録データおよび前記取得要求データに基づいて、前記クーポンデータを前記端末装置に送信する要求処理ステップと、
を含むことを特徴とするスマートベンディング方法。
【請求項１４】
入出力部と非接触型決済ツール読取部とを備えた自動販売機、および、入出力部を備えた端末装置に通信可能に接続された、記憶部と制御部とを備えたスマートベンディングサーバに実行させるためのスマートベンディング方法であって、
前記記憶部は、
前記端末装置での非接触型決済の登録者の登録者識別データとオンラインアカウントとを含む登録データを記憶する登録記憶手段と、
前記自動販売機に表示させるクーポンのクーポンデータを記憶する表示項目記憶手段と、
を備え、
前記制御部で実行させる、
前記自動販売機の販売商品の決済時に、前記クーポンの選択画面を前記自動販売機の前記入出力部に表示させるように制御する選択画面表示制御ステップと、
前記自動販売機の前記入出力部を介して前記クーポンが選択され、前記非接触型決済ツール読取部にて決済ツール読取処理が実行された場合、選択項目データを含む取得要求データを取得する要求取得ステップと、
前記登録データおよび前記取得要求データに基づいて、前記クーポンデータを前記端末装置に送信する要求処理ステップと、
を含むことを特徴とするスマートベンディング方法。
【請求項１５】
入出力部と非接触型決済ツール読取部とを備えた自動販売機、および、入出力部を備えた端末装置に通信可能に接続された、記憶部と制御部とを備えたスマートベンディングサーバに実行させるためのスマートベンディングプログラムであって、
前記記憶部は、
前記端末装置での非接触型決済の登録者の登録者識別データとオンラインアカウントとを含む登録データを記憶する登録記憶手段と、
前記自動販売機に表示させるクーポンのクーポンデータを記憶する表示項目記憶手段と、
を備え、
前記制御部において、
前記自動販売機の販売商品の決済時に、前記クーポンの選択画面を前記自動販売機の前記入出力部に表示させるように制御する選択画面表示制御ステップと、
前記自動販売機の前記入出力部を介して前記クーポンが選択され、前記非接触型決済ツール読取部にて決済ツール読取処理が実行された場合、選択項目データを含む取得要求データを取得する要求取得ステップと、
前記登録データおよび前記取得要求データに基づいて、前記クーポンデータを前記端末装置に送信する要求処理ステップと、
を実行させるためのスマートベンディングプログラム。
【請求項１６】
決済ツールの決済システム、入出力部と非接触型決済ツール読取部とを備えた自動販売機、および、入出力部を備えた端末装置に通信可能に接続された、記憶部と制御部とを備えたスマートベンディングサーバであって、
前記記憶部は、
前記端末装置での非接触型決済の登録者の登録者識別データとオンラインアカウントとを含む登録データを記憶する登録記憶手段と、
前記自動販売機に表示させる表示商品の商品データを記憶する表示項目記憶手段と、
を備え、
前記制御部は、
前記自動販売機の販売商品の決済時に、前記表示商品の選択画面を前記自動販売機の前記入出力部に表示させるように制御する選択画面表示制御手段と、
前記自動販売機の前記入出力部を介して前記表示商品が選択され、前記非接触型決済ツール読取部にて決済ツール読取処理が実行された場合、前記表示商品の決済要求データを含む取得要求データを取得する要求取得手段と、
前記登録データおよび前記取得要求データに基づいて、前記決済ツールの前記決済システムに前記決済要求データを送信する決済要求送信手段と、
前記決済システムから決済承認データを受信した場合、前記登録データおよび前記取得要求データに基づいて、前記表示商品の決済承認通知を前記端末装置および前記自動販売機に送信する要求処理手段と、
を備えたことを特徴とするスマートベンディングサーバ。
【請求項１７】
決済ツールの決済システム、入出力部と非接触型決済ツール読取部とを備えた自動販売機、入出力部を備えた端末装置、および、記憶部と制御部とを備えたスマートベンディングサーバを通信可能に接続したスマートベンディングシステムに実行させるためのスマートベンディング方法であって、
前記記憶部は、
前記端末装置での非接触型決済の登録者の登録者識別データとオンラインアカウントとを含む登録データを記憶する登録記憶手段と、
前記自動販売機に表示させる表示商品の商品データを記憶する表示項目記憶手段と、
を備え、
前記制御部で実行させる、
前記自動販売機の販売商品の決済時に、前記表示商品の選択画面を前記自動販売機の前記入出力部に表示させるように制御する選択画面表示制御ステップと、
前記自動販売機の前記入出力部を介して前記表示商品が選択され、前記非接触型決済ツール読取部にて決済ツール読取処理が実行された場合、前記表示商品の決済要求データを含む取得要求データを取得する要求取得ステップと、
前記登録データおよび前記取得要求データに基づいて、前記決済ツールの前記決済システムに前記決済要求データを送信する決済要求送信ステップと、
前記決済システムから決済承認データを受信した場合、前記登録データおよび前記取得要求データに基づいて、前記表示商品の決済承認通知を前記端末装置および前記自動販売機に送信する要求処理ステップと、
を含むことを特徴とするスマートベンディング方法。
【請求項１８】
決済ツールの決済システム、入出力部と非接触型決済ツール読取部とを備えた自動販売機、および、入出力部を備えた端末装置に通信可能に接続された、記憶部と制御部とを備えたスマートベンディングサーバに実行させるためのスマートベンディング方法であって、
前記記憶部は、
前記端末装置での非接触型決済の登録者の登録者識別データとオンラインアカウントとを含む登録データを記憶する登録記憶手段と、
前記自動販売機に表示させる表示商品の商品データを記憶する表示項目記憶手段と、
を備え、
前記制御部で実行させる、
前記自動販売機の販売商品の決済時に、前記表示商品の選択画面を前記自動販売機の前記入出力部に表示させるように制御する選択画面表示制御ステップと、
前記自動販売機の前記入出力部を介して前記表示商品が選択され、前記非接触型決済ツール読取部にて決済ツール読取処理が実行された場合、前記表示商品の決済要求データを含む取得要求データを取得する要求取得ステップと、
前記登録データおよび前記取得要求データに基づいて、前記決済ツールの前記決済システムに前記決済要求データを送信する決済要求送信ステップと、
前記決済システムから決済承認データを受信した場合、前記登録データおよび前記取得要求データに基づいて、前記表示商品の決済承認通知を前記端末装置および前記自動販売機に送信する要求処理ステップと、
を含むことを特徴とするスマートベンディング方法。
【請求項１９】
決済ツールの決済システム、入出力部と非接触型決済ツール読取部とを備えた自動販売機、および、入出力部を備えた端末装置に通信可能に接続された、記憶部と制御部とを備えたスマートベンディングサーバに実行させるためのスマートベンディングプログラムであって、
前記記憶部は、
前記端末装置での非接触型決済の登録者の登録者識別データとオンラインアカウントとを含む登録データを記憶する登録記憶手段と、
前記自動販売機に表示させる表示商品の商品データを記憶する表示項目記憶手段と、
を備え、
前記制御部において、
前記自動販売機の販売商品の決済時に、前記表示商品の選択画面を前記自動販売機の前記入出力部に表示させるように制御する選択画面表示制御ステップと、
前記自動販売機の前記入出力部を介して前記表示商品が選択され、前記非接触型決済ツール読取部にて決済ツール読取処理が実行された場合、前記表示商品の決済要求データを含む取得要求データを取得する要求取得ステップと、
前記登録データおよび前記取得要求データに基づいて、前記決済ツールの前記決済システムに前記決済要求データを送信する決済要求送信ステップと、
前記決済システムから決済承認データを受信した場合、前記登録データおよび前記取得要求データに基づいて、前記表示商品の決済承認通知を前記端末装置および前記自動販売機に送信する要求処理ステップと、
を実行させるためのスマートベンディングプログラム。
【発明の詳細な説明】
【技術分野】
【０００１】
本発明は、スマートベンディングシステム、スマートベンディングサーバ、スマートベンディング方法、および、スマートベンディングプログラムに関する。
【背景技術】
【０００２】
非特許文献１記載の自販機用マルチマネー決済リーダにおいては、自動販売機のディスプレイに、動画ファイル配信サーバから配信したコンテンツを再生させる技術が開示されている。
【先行技術文献】
【非特許文献】
【０００３】
【非特許文献１】自販機用マルチマネー決済リーダ（ｈｔｔｐｓ：／／ｗｗｗ．ｂｉｌｌｉｎｇｓｙｓｔｅｍ．ｃｏ．ｊｐ／ｓｅｒｖｉｃｅ／ｍｕｌｔｉｍｏｎｅｙ．ｈｔｍｌ）
【発明の概要】
【発明が解決しようとする課題】
【０００４】
しかしながら、非特許文献１に記載の従来の自販機用マルチマネー決済リーダにおいては、自動販売機利用者に情報提供を行うだけのデジタルサイネージであるため、自動販売機の販売商品以外の商品等を同時に自動販売機利用者に提供することができなかったという課題があった。
【０００５】
本発明は、上記問題点に鑑みてなされたものであって、自動販売機の販売商品の購入とは別に、自動販売機のディスプレイ上で選択したクーポンまたは表示商品を取得することができるスマートベンディングシステム、スマートベンディングサーバ、スマートベンディング方法、および、スマートベンディングプログラムを提供することを目的とする。
【課題を解決するための手段】
【０００６】
上述した課題を解決し、目的を達成するために、本発明に係るスマートベンディングシステムは、入出力部と非接触型決済ツール読取部とを備えた自動販売機、入出力部を備えた端末装置、および、記憶部と制御部とを備えたスマートベンディングサーバを通信可能に接続したスマートベンディングシステムであって、前記記憶部は、前記端末装置での非接触型決済の登録者の登録者識別データとオンラインアカウントとを含む登録データを記憶する登録記憶手段と、前記自動販売機に表示させるクーポンのクーポンデータを記憶する表示項目記憶手段と、を備え、前記制御部は、前記自動販売機の販売商品の決済時に、前記クーポンの選択画面を前記自動販売機の前記入出力部に表示させるように制御する選択画面表示制御手段と、前記自動販売機の前記入出力部を介して前記クーポンが選択され、前記非接触型決済ツール読取部にて決済ツール読取処理が実行された場合、選択項目データを含む取得要求データを取得する要求取得手段と、前記登録データおよび前記取得要求データに基づいて、前記クーポンデータを前記端末装置に送信する要求処理手段と、を備えたことを特徴とする。
【０００７】
また、本発明に係るスマートベンディングシステムにおいて、決済ツールの決済システム、入出力部と非接触型決済ツール読取部とを備えた自動販売機、入出力部を備えた端末装置、および、記憶部と制御部とを備えたスマートベンディングサーバを通信可能に接続したスマートベンディングシステムであって、前記記憶部は、前記端末装置での非接触型決済の登録者の登録者識別データとオンラインアカウントとを含む登録データを記憶する登録記憶手段と、前記自動販売機に表示させる表示商品の商品データを記憶する表示項目記憶手段と、を備え、前記制御部は、前記自動販売機の販売商品の決済時に、前記表示商品の選択画面を前記自動販売機の前記入出力部に表示させるように制御する選択画面表示制御手段と、前記自動販売機の前記入出力部を介して前記表示商品が選択され、前記非接触型決済ツール読取部にて決済ツール読取処理が実行された場合、前記表示商品の決済要求データを含む取得要求データを取得する要求取得手段と、前記登録データおよび前記取得要求データに基づいて、前記決済ツールの前記決済システムに前記決済要求データを送信する決済要求送信手段と、前記決済システムから決済承認データを受信した場合、前記登録データおよび前記取得要求データに基づいて、前記表示商品の決済承認通知を前記端末装置および前記自動販売機に送信する要求処理手段と、を備えたことを特徴とする。
【０００８】
また、本発明に係るスマートベンディングシステムにおいて、前記スマートベンディングサーバは、更に、決済ツールの決済システムと通信可能に接続し、前記要求取得手段は、前記自動販売機にて前記販売商品が選択され、且つ、前記自動販売機の前記入出力部を介して前記クーポンが選択され、前記非接触型決済ツール読取部にて前記決済ツール読取処理が実行された場合、前記販売商品の決済要求データおよび前記選択項目データを含む前記取得要求データを取得し、前記制御部は、前記登録データおよび前記取得要求データに基づいて、前記決済ツールの前記決済システムに前記決済要求データを送信する決済要求送信手段、を更に備え、前記要求処理手段は、更に、前記決済システムから決済承認データを受信した場合、前記登録データおよび前記取得要求データに基づいて、前記販売商品の決済承認通知を前記端末装置および前記自動販売機に送信することを特徴とする。
【０００９】
また、本発明に係るスマートベンディングシステムにおいて、前記端末装置および前記スマートベンディングサーバは、更に、制御部を備えた、決済ツールの決済システムと通信可能に接続し、前記決済ツールは、外貨決済ツールであり、前記要求取得手段は、前記自動販売機にて前記販売商品が選択され、且つ、前記自動販売機の前記入出力部を介して前記クーポンが選択され、前記非接触型決済ツール読取部にて前記決済ツール読取処理が実行された場合、前記販売商品の決済要求データおよび前記選択項目データを含む前記取得要求データを取得し、前記スマートベンディングサーバの前記制御部は、前記登録データおよび前記取得要求データに基づいて、前記外貨決済ツールの前記決済システムに前記決済要求データを送信する決済要求送信手段、を更に備え、前記決済システムの制御部は、前記決済要求データを承認するか否かを判定し、当該決済要求データを承認すると判定した場合、前記外貨決済ツールによる前記販売商品の決済承認通知を前記端末装置および前記自動販売機に送信する決済承認手段、を備えたことを特徴とする。
【００１０】
また、本発明に係るスマートベンディングシステムにおいて、前記要求取得手段は、前記自動販売機にて前記販売商品が選択され、且つ、前記自動販売機の前記入出力部を介して前記表示商品が選択され、前記非接触型決済ツール読取部にて前記決済ツール読取処理が実行された場合、前記販売商品および前記表示商品の決済要求データを含む前記取得要求データを取得し、前記要求処理手段は、前記決済システムから前記決済承認データを受信した場合、前記登録データおよび前記取得要求データに基づいて、前記販売商品および前記表示商品の前記決済承認通知を前記端末装置および前記自動販売機に送信することを特徴とする。
【００１１】
また、本発明に係るスマートベンディングシステムにおいて、前記表示商品は、オンラインチケットであり、前記要求処理手段は、更に、前記決済システムから前記決済承認データを受信した場合、前記登録データおよび前記取得要求データに基づいて、前記オンラインチケットを前記端末装置に送信することを特徴とする。
【００１２】
また、本発明に係るスマートベンディングシステムにおいて、前記スマートベンディングサーバは、更に、前記表示商品の販売システムと通信可能に接続し、前記要求処理手段は、更に、前記決済システムから前記決済承認データを受信した場合、前記登録データおよび前記取得要求データに基づいて、前記登録者への前記表示商品の発送要求データを前記販売システムに送信することを特徴とする。
【００１３】
また、本発明に係るスマートベンディングシステムにおいて、前記要求処理手段は、更に、前記決済システムから前記決済承認データを受信した場合、前記表示商品の受取方法指示要求通知を前記端末装置に送信し、当該端末装置から当該表示商品の受取方法指示を受信した場合、前記登録データおよび前記取得要求データに基づいて、当該受取方法指示を含む前記発送要求データを前記販売システムに送信することを特徴とする。
【００１４】
また、本発明に係るスマートベンディングシステムにおいて、前記決済ツールは、バーコード、二次元コード、電子マネー、非接触型デビットカード、非接触型クレジットカード、および／または、非接触型ポイントカードであることを特徴とする。
【００１５】
また、本発明に係るスマートベンディングシステムにおいて、前記選択画面表示制御手段は、前記自動販売機の前記販売商品の決済時に、当該自動販売機の近隣施設、および／または、当該販売商品の関連商品の前記クーポンの前記選択画面を前記自動販売機の前記入出力部に表示させるように制御することを特徴とする。
【００１６】
また、本発明に係るスマートベンディングシステムにおいて、前記選択画面表示制御手段は、前記自動販売機の前記販売商品の決済時に、最新の前記表示商品、流行中の前記表示商品、当該販売商品の購買層をターゲットとする前記表示商品、および／または、前記自動販売機の前記入出力部にて撮影された利用者をターゲットとする前記表示商品の前記選択画面を前記自動販売機の前記入出力部に表示させるように制御することを特徴とする。
【００１７】
また、本発明に係るスマートベンディングサーバにおいて、入出力部と非接触型決済ツール読取部とを備えた自動販売機、および、入出力部を備えた端末装置に通信可能に接続された、記憶部と制御部とを備えたスマートベンディングサーバであって、前記記憶部は、前記端末装置での非接触型決済の登録者の登録者識別データとオンラインアカウントとを含む登録データを記憶する登録記憶手段と、前記自動販売機に表示させるクーポンのクーポンデータを記憶する表示項目記憶手段と、を備え、前記制御部は、前記自動販売機の販売商品の決済時に、前記クーポンの選択画面を前記自動販売機の前記入出力部に表示させるように制御する選択画面表示制御手段と、前記自動販売機の前記入出力部を介して前記クーポンが選択され、前記非接触型決済ツール読取部にて決済ツール読取処理が実行された場合、選択項目データを含む取得要求データを取得する要求取得手段と、前記登録データおよび前記取得要求データに基づいて、前記クーポンデータを前記端末装置に送信する要求処理手段と、を備えたことを特徴とする。
【００１８】
また、本発明に係るスマートベンディング方法は、入出力部と非接触型決済ツール読取部とを備えた自動販売機、入出力部を備えた端末装置、および、記憶部と制御部とを備えたスマートベンディングサーバを通信可能に接続したスマートベンディングシステムに実行させるためのスマートベンディング方法であって、前記記憶部は、前記端末装置での非接触型決済の登録者の登録者識別データとオンラインアカウントとを含む登録データを記憶する登録記憶手段と、前記自動販売機に表示させるクーポンのクーポンデータを記憶する表示項目記憶手段と、を備え、前記制御部で実行させる、前記自動販売機の販売商品の決済時に、前記クーポンの選択画面を前記自動販売機の前記入出力部に表示させるように制御する選択画面表示制御ステップと、前記自動販売機の前記入出力部を介して前記クーポンが選択され、前記非接触型決済ツール読取部にて決済ツール読取処理が実行された場合、選択項目データを含む取得要求データを取得する要求取得ステップと、前記登録データおよび前記取得要求データに基づいて、前記クーポンデータを前記端末装置に送信する要求処理ステップと、を含むことを特徴とする。
【００１９】
また、本発明に係るスマートベンディング方法は、入出力部と非接触型決済ツール読取部とを備えた自動販売機、および、入出力部を備えた端末装置に通信可能に接続された、記憶部と制御部とを備えたスマートベンディングサーバに実行させるためのスマートベンディング方法であって、前記記憶部は、前記端末装置での非接触型決済の登録者の登録者識別データとオンラインアカウントとを含む登録データを記憶する登録記憶手段と、前記自動販売機に表示させるクーポンのクーポンデータを記憶する表示項目記憶手段と、を備え、前記制御部で実行させる、前記自動販売機の販売商品の決済時に、前記クーポンの選択画面を前記自動販売機の前記入出力部に表示させるように制御する選択画面表示制御ステップと、前記自動販売機の前記入出力部を介して前記クーポンが選択され、前記非接触型決済ツール読取部にて決済ツール読取処理が実行された場合、選択項目データを含む取得要求データを取得する要求取得ステップと、前記登録データおよび前記取得要求データに基づいて、前記クーポンデータを前記端末装置に送信する要求処理ステップと、を含むことを特徴とする。
【００２０】
また、本発明に係るスマートベンディングプログラムは、入出力部と非接触型決済ツール読取部とを備えた自動販売機、および、入出力部を備えた端末装置に通信可能に接続された、記憶部と制御部とを備えたスマートベンディングサーバに実行させるためのスマートベンディングプログラムであって、前記記憶部は、前記端末装置での非接触型決済の登録者の登録者識別データとオンラインアカウントとを含む登録データを記憶する登録記憶手段と、前記自動販売機に表示させるクーポンのクーポンデータを記憶する表示項目記憶手段と、を備え、前記制御部において、前記自動販売機の販売商品の決済時に、前記クーポンの選択画面を前記自動販売機の前記入出力部に表示させるように制御する選択画面表示制御ステップと、前記自動販売機の前記入出力部を介して前記クーポンが選択され、前記非接触型決済ツール読取部にて決済ツール読取処理が実行された場合、選択項目データを含む取得要求データを取得する要求取得ステップと、前記登録データおよび前記取得要求データに基づいて、前記クーポンデータを前記端末装置に送信する要求処理ステップと、を実行させることを特徴とする。
【００２１】
また、本発明に係るスマートベンディングサーバにおいて、決済ツールの決済システム、入出力部と非接触型決済ツール読取部とを備えた自動販売機、および、入出力部を備えた端末装置に通信可能に接続された、記憶部と制御部とを備えたスマートベンディングサーバであって、前記記憶部は、前記端末装置での非接触型決済の登録者の登録者識別データとオンラインアカウントとを含む登録データを記憶する登録記憶手段と、前記自動販売機に表示させる表示商品の商品データを記憶する表示項目記憶手段と、を備え、前記制御部は、前記自動販売機の販売商品の決済時に、前記表示商品の選択画面を前記自動販売機の前記入出力部に表示させるように制御する選択画面表示制御手段と、前記自動販売機の前記入出力部を介して前記表示商品が選択され、前記非接触型決済ツール読取部にて決済ツール読取処理が実行された場合、前記表示商品の決済要求データを含む取得要求データを取得する要求取得手段と、前記登録データおよび前記取得要求データに基づいて、前記決済ツールの前記決済システムに前記決済要求データを送信する決済要求送信手段と、前記決済システムから決済承認データを受信した場合、前記登録データおよび前記取得要求データに基づいて、前記表示商品の決済承認通知を前記端末装置および前記自動販売機に送信する要求処理手段と、を備えたことを特徴とする。
【００２２】
また、本発明に係るスマートベンディング方法は、決済ツールの決済システム、入出力部と非接触型決済ツール読取部とを備えた自動販売機、入出力部を備えた端末装置、および、記憶部と制御部とを備えたスマートベンディングサーバを通信可能に接続したスマートベンディングシステムに実行させるためのスマートベンディング方法であって、前記記憶部は、前記端末装置での非接触型決済の登録者の登録者識別データとオンラインアカウントとを含む登録データを記憶する登録記憶手段と、前記自動販売機に表示させる表示商品の商品データを記憶する表示項目記憶手段と、を備え、前記制御部で実行させる、前記自動販売機の販売商品の決済時に、前記表示商品の選択画面を前記自動販売機の前記入出力部に表示させるように制御する選択画面表示制御ステップと、前記自動販売機の前記入出力部を介して前記表示商品が選択され、前記非接触型決済ツール読取部にて決済ツール読取処理が実行された場合、前記表示商品の決済要求データを含む取得要求データを取得する要求取得ステップと、前記登録データおよび前記取得要求データに基づいて、前記決済ツールの前記決済システムに前記決済要求データを送信する決済要求送信ステップと、前記決済システムから決済承認データを受信した場合、前記登録データおよび前記取得要求データに基づいて、前記表示商品の決済承認通知を前記端末装置および前記自動販売機に送信する要求処理ステップと、を含むことを特徴とする。
【００２３】
また、本発明に係るスマートベンディング方法は、決済ツールの決済システム、入出力部と非接触型決済ツール読取部とを備えた自動販売機、および、入出力部を備えた端末装置に通信可能に接続された、記憶部と制御部とを備えたスマートベンディングサーバに実行させるためのスマートベンディング方法であって、前記記憶部は、前記端末装置での非接触型決済の登録者の登録者識別データとオンラインアカウントとを含む登録データを記憶する登録記憶手段と、前記自動販売機に表示させる表示商品の商品データを記憶する表示項目記憶手段と、を備え、前記制御部で実行させる、前記自動販売機の販売商品の決済時に、前記表示商品の選択画面を前記自動販売機の前記入出力部に表示させるように制御する選択画面表示制御ステップと、前記自動販売機の前記入出力部を介して前記表示商品が選択され、前記非接触型決済ツール読取部にて決済ツール読取処理が実行された場合、前記表示商品の決済要求データを含む取得要求データを取得する要求取得ステップと、前記登録データおよび前記取得要求データに基づいて、前記決済ツールの前記決済システムに前記決済要求データを送信する決済要求送信ステップと、前記決済システムから決済承認データを受信した場合、前記登録データおよび前記取得要求データに基づいて、前記表示商品の決済承認通知を前記端末装置および前記自動販売機に送信する要求処理ステップと、を含むことを特徴とする。
【００２４】
また、本発明に係るスマートベンディングプログラムは、決済ツールの決済システム、入出力部と非接触型決済ツール読取部とを備えた自動販売機、および、入出力部を備えた端末装置に通信可能に接続された、記憶部と制御部とを備えたスマートベンディングサーバに実行させるためのスマートベンディングプログラムであって、前記記憶部は、前記端末装置での非接触型決済の登録者の登録者識別データとオンラインアカウントとを含む登録データを記憶する登録記憶手段と、前記自動販売機に表示させる表示商品の商品データを記憶する表示項目記憶手段と、を備え、前記制御部において、前記自動販売機の販売商品の決済時に、前記表示商品の選択画面を前記自動販売機の前記入出力部に表示させるように制御する選択画面表示制御ステップと、前記自動販売機の前記入出力部を介して前記表示商品が選択され、前記非接触型決済ツール読取部にて決済ツール読取処理が実行された場合、前記表示商品の決済要求データを含む取得要求データを取得する要求取得ステップと、前記登録データおよび前記取得要求データに基づいて、前記決済ツールの前記決済システムに前記決済要求データを送信する決済要求送信ステップと、前記決済システムから決済承認データを受信した場合、前記登録データおよび前記取得要求データに基づいて、前記表示商品の決済承認通知を前記端末装置および前記自動販売機に送信する要求処理ステップと、を実行させることを特徴とする。
【発明の効果】
【００２５】
本発明によれば、スマートフォン決済を前提として、自販機のディスプレイ上に、近隣の商店または提携商品等のクーポンを表示できるため、飲料を購入する顧客が欲しいクーポンを選んで自分のスマートフォンに送付できるという効果を奏する。また、本発明によれば、自販機のディスプレイ上にデジタルサイネージと連動した商品販売画面を表示し、タッチスクリーンでの表示商品の購入決定、表示商品のスマートフォン決済およびスマートフォンに登録した住所への表示商品の送付先指示ができるという効果を奏する。また、本発明によれば、エンターテイメントの広告に連動してチケット販売し、スマートフォン決済完了と共に当該スマートフォンに購入チケットを送付することができるという効果を奏する。また、本発明によれば、最新または人気等のエンタメ情報または商品を表示することで、自販機利用者の興味を誘引し、自販機利用も併せて促進することができるという効果を奏する。また、本発明によれば、購入飲料の種類に応じて、当該購入飲料のメイン購買層向けのエンタメ情報または商品を表示することで、チケット・商品販売を促進することができるという効果を奏する。
【図面の簡単な説明】
【００２６】
【図１】図１は、本実施形態におけるスマートベンディングシステムの構成の一例を示すブロック図である。
【図２】図２は、本実施形態におけるスマートベンディングシステムの処理の一例を示すフローチャートである。
【図３】図３は、本実施形態におけるスマートベンディング処理の一例を示すフロー図である。
【図４】図４は、本実施形態におけるスマートベンディング処理の一例を示すフロー図である。
【図５】図５は、本実施形態におけるスマートベンディング処理の一例を示すフロー図である。
【図６】図６は、本実施形態におけるスマートベンディング処理の一例を示すフロー図である。
【発明を実施するための形態】
【００２７】
本発明の実施形態を図面に基づいて詳細に説明する。なお、本発明は本実施形態により限定されるものではない。
【００２８】
［１．スマートベンディングシステムの構成］
本実施形態に係る端末装置１００、スマートベンディングサーバ（サーバ）２００、自動販売機４００、決済システム６００、および、販売システム８００を通信可能に接続したスマートベンディングシステムの構成の一例について、図１を参照して説明する。図１は、本実施形態におけるスマートベンディングシステムの構成の一例を示すブロック図である。
【００２９】
［端末装置１００の構成］
図１において、端末装置１００は、携帯電話、スマートフォン、タブレット端末、ＰＨＳもしくはＰＤＡ（Ｐｅｒｓｏｎａｌ  Ｄｉｇｉｔａｌ  Ａｓｓｉｓｔａｎｔｓ）等の携帯端末、または、一般に市販されるデスクトップ型もしくはノート型のパーソナルコンピュータ等の情報処理装置等であってもよい。
【００３０】
端末装置１００は、制御部１０２と記憶部１０６と入出力部１１２とを備えており、端末装置１００が備えている各部は、任意の通信路を介して通信可能に接続されている。
【００３１】
入出力部１１２は、データの入出力（Ｉ／Ｏ）を行う機能を有していてもよい。ここで、入出力部１１２は、例えば、キー入力部、タッチパネル、コントロールパッド（例えば、タッチパッド、および、ゲームパッド等）、マウス、キーボード、プロジェクタ、および、マイク等であってもよい。また、入出力部１１２は、アプリケーション等の（入出力）情報を表示する表示部（例えば、液晶または有機ＥＬ等から構成されるディスプレイ、モニタ、および、タッチパネル等）であってもよい。また、入出力部１１２は、音声情報を音声として出力する音声出力部（例えば、スピーカ等）であってもよい。また、入出力部１１２は、ＣＣＤイメージセンサまたはＣＭＯＳイメージセンサ等の撮像素子で撮影した画像（静止画および動画）をデジタルデータとして記録する画像入力部（例えば、カメラ等）であってもよい。また、入出力部１１２は、指紋センサ、虹彩認証もしくは顔認証等に利用可能なカメラ（例えば、赤外線カメラ等）、および／または、静脈センサ等の生体センサであってもよい。
【００３２】
端末装置１００は、他の装置とネットワーク３００を介して通信可能に接続し、他の装置とデータを通信する機能を有する。ここで、ネットワーク３００は、端末装置１００と他の装置とを相互に通信可能に接続する機能を有し、例えば、インターネットおよび／またはＬＡＮ（Ｌｏｃａｌ  Ａｒｅａ  Ｎｅｔｗｏｒｋ）等である。
【００３３】
記憶部１０６には、各種のデータベース、テーブル、および／または、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、および／または、ＳＳＤ（Ｓｏｌｉｄ  Ｓｔａｔｅ  Ｄｒｉｖｅ）等を用いることができる。記憶部１０６は、入出力部１１２にて記録された画像データ、ネットワーク３００を介して受信されたデータ、および／または、入出力部１１２を介して入力された入力データ等を記憶していてもよい。
【００３４】
制御部１０２は、端末装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。例えば、制御部１０２は、入出力部１１２にて記録された画像データの取得および画像データに含まれる文字データ（ＵＲＬ等）のデータ読取、ネットワーク３００を介したデータ送受信、入出力部１１２を介して入力された入力データの取得、ならびに、入出力部１１２でのデータ（画面）表示等の各処理を実行してもよい。
【００３５】
［サーバ２００の構成］
図１において、サーバ２００は、パーソナルコンピュータ、または、ワークステーション等の情報処理装置であってもよい。サーバ２００は、制御部２０２と記憶部２０６とを備えており、サーバ２００が備えている各部は、任意の通信路を介して通信可能に接続されている。サーバ２００は、ネットワーク３００を介して、他の装置と相互に通信可能に接続されている。
【００３６】
記憶部２０６には、各種のデータベース、テーブル、および／または、ファイルなどが格納される。記憶部２０６には、ＯＳと協働してＣＰＵに命令を与えて各種処理を行うためのコンピュータプログラムが記録される。記憶部２０６は、ＲＡＭ、ＲＯＭ、ＨＤＤ、および／または、ＳＳＤ等のストレージ手段であり、各種のデータベースやテーブルを格納する。記憶部２０６は、機能概念的に、登録データベース２０６ａと、表示項目データベース２０６ｂとを備えている。
【００３７】
登録データベース（非接触型決済アプリ登録データベース）２０６ａは、端末装置１００での非接触型決済の登録者の登録者識別データとオンラインアカウントとを含む登録データを記憶する。ここで、登録データベース２０６ａは、決済ツールの決済ツールデータを記憶していてもよい。ここで、決済ツールは、外貨決済ツールであってもよい。また、決済ツールは、バーコード、二次元コード、電子マネー、非接触型デビットカード、非接触型クレジットカード、非接触型ポイントカード、および／または、非接触型クーポン等であってもよい。このように、本実施形態においては、ポイント、電子マネーもしくは地域通貨等の個人アカウントまたはクーポン等の各種支払方法を決済ツール（決済手段）として登録してもよい。また、オンラインアカウントは、Ｅメール（電子メール）アカウント、電話番号、ＭＭＳ（Ｍｕｌｔｉｍｅｄｉａ  Ｍｅｓｓａｇｉｎｇ  Ｓｅｒｖｉｃｅ）アカウント、および／または、ＳＮＳ（Ｓｏｃｉａｌ  Ｎｅｔｗｏｒｋｉｎｇ  Ｓｅｒｖｉｃｅ）アカウント等であってもよい。また、登録者識別データは、登録者名、登録者住所、登録者電話番号、登録暗証番号、登録者端末識別データ（ＭＡＣアドレス等）、および／または、登録者Ｅメールアドレス等を含んでいてもよい。また、非接触型デビットカードの決済ツールデータは、口座番号、口座名義、店番および／または預金種別コード等を含んでいてもよい。また、非接触型クレジットカードの決済ツールデータは、カード番号、セキュリティコードおよび／または有効期限データ等を含んでいてもよい。
【００３８】
表示項目データベース２０６ｂは、自動販売機４００に表示させる表示項目データを記憶する。ここで、表示項目データベース２０６ｂは、自動販売機４００に表示させるクーポンのクーポンデータを記憶していてもよい。また、表示項目データベース２０６ｂは、自動販売機４００に表示させる表示商品の商品データを記憶していてもよい。また、表示商品は、オンラインチケットであってもよい。また、クーポンは、自動販売機４００の近隣施設、または、自動販売機４００の販売商品の関連商品のクーポンであってもよい。また、表示商品は、最新の商品、流行中の商品、自動販売機４００の販売商品の購買層をターゲットとする商品、または、自動販売機４００の入出力部４１２にて撮影された利用者をターゲットとする商品であってもよい。
【００３９】
制御部２０２は、サーバ２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、選択画面表示制御部２０２ａと、要求取得部２０２ｂと、決済要求送信部２０２ｃと、要求処理部２０２ｄとを備えている。
【００４０】
選択画面表示制御部２０２ａは、表示項目の選択画面を自動販売機４００の入出力部４１２に表示させるように制御する。ここで、選択画面表示制御部２０２ａは、自動販売機４００の販売商品の決済時に、クーポンの選択画面を自動販売機４００の入出力部４１２に表示させるように制御してもよい。また、選択画面表示制御部２０２ａは、自動販売機４００の販売商品の決済時に、表示商品の選択画面を自動販売機４００の入出力部４１２に表示させるように制御してもよい。また、選択画面表示制御部２０２ａは、自動販売機４００の販売商品の決済時に、当該自動販売機４００の近隣施設、および／または、当該販売商品の関連商品のクーポンの選択画面を自動販売機４００の入出力部４１２に表示させるように制御してもよい。また、選択画面表示制御部２０２ａは、自動販売機４００の販売商品の決済時に、最新の表示商品、流行中の表示商品、当該販売商品の購買層をターゲットとする表示商品、および／または、自動販売機４００の入出力部４１２にて撮影された利用者をターゲットとする表示商品の選択画面を自動販売機４００の入出力部４１２に表示させるように制御してもよい。
【００４１】
要求取得部２０２ｂは、自動販売機４００の入出力部４１２を介して選択項目が選択され、非接触型決済ツール読取部４１０にて決済ツール読取処理が実行された場合、選択項目データを含む取得要求データを取得する。ここで、要求取得部２０２ｂは、自動販売機４００の入出力部４１２を介して選択項目が選択され、非接触型決済ツール読取部４１０にて端末装置１００またはコンタクトレスカードを用いた決済ツール読取処理が実行された場合、選択項目データを含む取得要求データを取得してもよい。また、要求取得部２０２ｂは、自動販売機４００の入出力部４１２を介してクーポンが選択され、非接触型決済ツール読取部４１０にて決済ツール読取処理が実行された場合、選択項目データを含む取得要求データを取得してもよい。また、要求取得部２０２ｂは、自動販売機４００の入出力部４１２を介して表示商品が選択され、非接触型決済ツール読取部４１０にて決済ツール読取処理が実行された場合、表示商品の決済要求データおよび／または商品発送要求データを含む取得要求データを取得してもよい。また、要求取得部２０２ｂは、自動販売機４００にて販売商品が選択され、且つ、自動販売機４００の入出力部４１２を介してクーポンが選択され、非接触型決済ツール読取部４１０にて決済ツール読取処理が実行された場合、販売商品の決済要求データおよび選択項目データを含む取得要求データを取得してもよい。また、要求取得部２０２ｂは、自動販売機４００にて販売商品が選択され、且つ、自動販売機４００の入出力部４１２を介して表示商品が選択され、非接触型決済ツール読取部４１０にて決済ツール読取処理が実行された場合、販売商品および表示商品の決済要求データを含む取得要求データを取得してもよい。
【００４２】
決済要求送信部２０２ｃは、決済ツールの決済システム６００に決済要求データを送信する。ここで、決済要求送信部２０２ｃは、登録データおよび取得要求データに基づいて、決済ツールの決済システム６００に決済要求データを送信してもよい。また、決済要求送信部２０２ｃは、登録データおよび取得要求データに基づいて、外貨決済ツールの決済システム６００に決済要求データを送信してもよい。
【００４３】
要求処理部２０２ｄは、選択項目データを端末装置１００に送信する。ここで、要求処理部２０２ｄは、登録データおよび取得要求データに基づいて、クーポンデータを端末装置１００に送信してもよい。また、要求処理部２０２ｄは、決済システム６００から決済承認データを受信した場合、登録データおよび取得要求データに基づいて、表示商品の決済承認通知を端末装置１００および自動販売機４００に送信してもよい。また、要求処理部２０２ｄは、決済システム６００から決済承認データを受信した場合、登録データおよび取得要求データに基づいて、販売商品の決済承認通知および自動販売機４００を端末装置１００に送信してもよい。また、要求処理部２０２ｄは、決済システム６００から決済承認データを受信した場合、登録データおよび取得要求データに基づいて、販売商品および表示商品の決済承認通知および自動販売機４００を端末装置１００に送信してもよい。また、要求処理部２０２ｄは、決済システム６００から決済承認データを受信した場合、登録データおよび取得要求データに基づいて、オンラインチケットを端末装置１００に送信してもよい。また、要求処理部２０２ｄは、決済システム６００から決済承認データを受信した場合、登録データおよび取得要求データに基づいて、登録者への表示商品の発送要求データを販売システム８００に送信してもよい。また、要求処理部２０２ｄは、決済システム６００から決済承認データを受信した場合、表示商品の受取方法指示要求通知を端末装置１００に送信し、当該端末装置１００から当該表示商品の受取方法指示を受信した場合、登録データおよび取得要求データに基づいて、当該受取方法指示を含む発送要求データを販売システム８００に送信してもよい。また、要求処理部２０２ｄは、決済システム６００から決済非承認データを受信した場合、登録データおよび取得要求データに基づいて、販売商品および／または表示商品の決済非承認通知および自動販売機４００を端末装置１００に送信してもよい。
【００４４】
［自動販売機４００の構成］
図１において、自動販売機４００は、情報処理機能を備えた、飲料自動販売機、菓子等の食品自動販売機、たばこまたは新聞等の非飲食物自動販売機、自動券売機、コイン式洗濯機、コイン式乾燥機、駐車場精算機、コインロッカー、または、アミューズメントゲーム機等であってもよい。自動販売機４００は、制御部４０２と記憶部４０６と非接触型決済ツール読取部４１０と入出力部４１２とを備えており、自動販売機４００が備えている各部は、任意の通信路を介して通信可能に接続されている。自動販売機４００は、ネットワーク３００を介して、他の装置と相互に通信可能に接続されている。
【００４５】
非接触型決済ツール読取部４１０は、コンタクトレスカードリーダ等の非接触型決済リーダである。ここで、非接触型決済ツール読取部４１０は、バーコード、二次元コード（例えば、ＱＲコード（登録商標）等）、三次元コード（例えば、ＰＭコード（登録商標）等）、電子マネー、非接触型デビットカード、非接触型クレジットカード、非接触型ポイントカード、および／または、非接触型クーポン等を利用した決済に対応したマルチマネー決済リーダであってもよい。また、非接触型決済ツール読取部４１０は、Ｂｌｕｅｔｏｏｔｈ（登録商標）、ＮＦＣ−Ａ、ＮＦＣ−Ｂ、ＮＦＣ−Ｆ（例えば、Ｆｅｌｉｃａ（登録商標）等）、および／または、赤外線等による通信を利用してもよい。
【００４６】
入出力部４１２は、データの入出力（Ｉ／Ｏ）を行う機能を有していてもよい。ここで、入出力部４１２は、例えば、キー入力部、タッチパネル、コントロールパッド、マウス、キーボード、プロジェクタ、および、マイク等であってもよい。また、入出力部４１２は、アプリケーション等の（入出力）情報を表示する表示部であってもよい。また、入出力部４１２は、音声情報を音声として出力する音声出力部であってもよい。また、入出力部４１２は、ＣＣＤイメージセンサまたはＣＭＯＳイメージセンサ等の撮像素子で撮影した画像をデジタルデータとして記録する画像入力部であってもよい。また、入出力部４１２は、指紋センサ、虹彩認証もしくは顔認証等に利用可能なカメラ（例えば、赤外線カメラ等）、および／または、静脈センサ等の生体センサであってもよい。
【００４７】
記憶部４０６には、各種のデータベース、テーブル、および／または、ファイルなどが格納される。記憶部４０６には、ＯＳと協働してＣＰＵに命令を与えて各種処理を行うためのコンピュータプログラムが記録される。記憶部４０６は、ＲＡＭ、ＲＯＭ、ＨＤＤ、および／または、ＳＳＤ等のストレージ手段であり、各種のデータベースやテーブルを格納する。記憶部４０６は、機能概念的に、表示項目データベース４０６ａを備えている。
【００４８】
表示項目データベース４０６ａは、入出力部４１２に表示させる表示項目データを記憶する。
【００４９】
制御部４０２は、自動販売機４００を統括的に制御するＣＰＵ等である。制御部４０２は、ＯＳ等の制御プログラム・各種の処理手順等を規定したプログラム・所要データなどを格納するための内部メモリを有し、格納されているこれらのプログラムに基づいて種々の情報処理を実行する。制御部４０２は、機能概念的に、選択画面表示部４０２ａと、取得要求送信部４０２ｂとを備えている。
【００５０】
選択画面表示部４０２ａは、表示項目の選択画面を入出力部４１２に表示させる。ここで、選択画面表示部４０２ａは、自動販売機４００の販売商品の決済時に、入出力部４１２にて撮影された利用者の性別、および／または、年齢等の利用者属性を判別し、当該利用者属性に基づいて、当該利用者をターゲットとする表示商品の選択画面を入出力部４１２に表示させてもよい。
【００５１】
取得要求送信部４０２ｂは、選択項目データを含む取得要求データをサーバ２００に送信する。
【００５２】
［決済システム６００の構成］
図１において、決済システム６００は、パーソナルコンピュータ、または、ワークステーション等の情報処理装置であってもよい。決済システム６００は、制御部６０２と記憶部６０６とを備えており、決済システム６００が備えている各部は、任意の通信路を介して通信可能に接続されている。決済システム６００は、ネットワーク３００を介して、他の装置と相互に通信可能に接続されている。ここで、決済システム６００は、銀行、クレジットカード会社、電子マネー運営会社、外国電子マネー等運営会社日本法人、または、外国電子マネー等運営会社と提携する国内の企業等のシステムであってもよい。
【００５３】
記憶部６０６には、各種のデータベース、テーブル、および／または、ファイルなどが格納される。記憶部６０６には、ＯＳと協働してＣＰＵに命令を与えて各種処理を行うためのコンピュータプログラムが記録される。記憶部６０６は、ＲＡＭ、ＲＯＭ、ＨＤＤ、および／または、ＳＳＤ等のストレージ手段であり、各種のデータベースやテーブルを格納する。
【００５４】
制御部６０２は、決済システム６００を統括的に制御するＣＰＵ等である。制御部６０２は、ＯＳ等の制御プログラム・各種の処理手順等を規定したプログラム・所要データなどを格納するための内部メモリを有し、格納されているこれらのプログラムに基づいて種々の情報処理を実行する。制御部６０２は、機能概念的に、決済承認部６０２ａを備えている。
【００５５】
決済承認部６０２ａは、決済要求データを承認するか否かを判定する。ここで、決済承認部６０２ａは、決済要求データを承認すると判定した場合、外貨決済ツールによる販売商品の決済承認通知を端末装置１００に送信してもよい。また、決済承認部６０２ａは、決済要求データを承認しないと判定した場合、外貨決済ツールによる販売商品の決済非承認通知を端末装置１００に送信してもよい。また、決済承認部６０２ａは、決済要求データを承認すると判定した場合、決済ツールによる販売商品および／または表示商品の決済承認通知をサーバ２００に送信してもよい。また、決済承認部６０２ａは、決済要求データを承認しないと判定した場合、決済ツールによる販売商品および／または表示商品の決済非承認通知をサーバ２００に送信してもよい。
【００５６】
［販売システム８００の構成］
図１において、販売システム８００は、パーソナルコンピュータ、または、ワークステーション等の情報処理装置であってもよい。販売システム８００は、制御部８０２と記憶部８０６とを備えており、販売システム８００が備えている各部は、任意の通信路を介して通信可能に接続されている。販売システム８００は、ネットワーク３００を介して、他の装置と相互に通信可能に接続されている。ここで、販売システム８００は、自動販売機オーナー会社、または、表示商品販売会社等のシステムであってもよい。
【００５７】
記憶部８０６には、各種のデータベース、テーブル、および／または、ファイルなどが格納される。記憶部８０６には、ＯＳと協働してＣＰＵに命令を与えて各種処理を行うためのコンピュータプログラムが記録される。記憶部８０６は、ＲＡＭ、ＲＯＭ、ＨＤＤ、および／または、ＳＳＤ等のストレージ手段であり、各種のデータベースやテーブルを格納する。
【００５８】
制御部８０２は、販売システム８００を統括的に制御するＣＰＵ等である。制御部８０２は、ＯＳ等の制御プログラム・各種の処理手順等を規定したプログラム・所要データなどを格納するための内部メモリを有し、格納されているこれらのプログラムに基づいて種々の情報処理を実行する。
【００５９】
［２．スマートベンディングシステムの処理］
本実施形態に係るスマートベンディングシステムの処理の一例について、図２から図６を参照して説明する。図２は、本実施形態におけるスマートベンディングシステムの処理の一例を示すフローチャートである。
【００６０】
図２に示すように、自動販売機４００の選択画面表示部４０２ａは、自動販売機４００の販売商品の決済時に、表示項目データベース４０６ａに記憶されたクーポンおよび／または表示商品の選択画面を入出力部４１２に表示させる（ステップＳＡ−１）。
【００６１】
そして、自動販売機４００の取得要求送信部４０２ｂは、ユーザにより自動販売機４００にて販売商品が選択され、ならびに／または、入出力部４１２を介してクーポンおよび／もしくは表示商品が選択され、非接触型決済ツール読取部４１０にて端末装置１００またはコンタクトレスカードを用いた決済ツール読取処理が実行された場合、決済要求データおよび／または選択項目データを含む取得要求データをサーバ２００に送信する（ステップＳＡ−２）。
【００６２】
そして、サーバ２００の要求取得部２０２ｂは、取得要求データを取得する（ステップＳＡ−３）。
【００６３】
そして、サーバ２００の要求取得部２０２ｂは、取得要求データに決済要求データが含まれているか否かを判定する（ステップＳＡ−４）。
【００６４】
そして、サーバ２００の要求取得部２０２ｂは、取得要求データに決済要求データが含まれていないと判定した場合（ステップＳＡ−４：Ｎｏ）、処理をステップＳＡ−５に移行させる。
【００６５】
そして、サーバ２００の要求処理部２０２ｄは、非接触型決済アプリ登録データベース２０６ａに記憶された登録者のオンラインアカウントを含む登録データ、および、取得要求データに基づいて、表示項目データベース２０６ｂに記憶されたクーポンデータを端末装置１００に送信し（ステップＳＡ−５）、処理を終了する。
【００６６】
一方、サーバ２００の要求取得部２０２ｂは、取得要求データに決済要求データが含まれていると判定した場合（ステップＳＡ−４：Ｙｅｓ）、処理をステップＳＡ−６に移行させる。
【００６７】
そして、サーバ２００の要求取得部２０２ｂは、取得要求データに含まれる決済要求データが外貨決済ツールによる決済要求データであるか否かを判定する（ステップＳＡ−６）。
【００６８】
そして、サーバ２００の要求取得部２０２ｂは、取得要求データに含まれる決済要求データが外貨決済ツールによる決済要求データではないと判定した場合（ステップＳＡ−６：Ｎｏ）、処理をステップＳＡ−７に移行させる。
【００６９】
そして、サーバ２００の決済要求送信部２０２ｃは、非接触型決済アプリ登録データベース２０６ａに記憶された登録データおよび取得要求データに基づいて、決済ツールの決済システム６００に決済要求データを送信する（ステップＳＡ−７）。
【００７０】
そして、サーバ２００の要求処理部２０２ｄは、決済システム６００から決済承認データを受信したか否かを判定する（ステップＳＡ−８）。
【００７１】
そして、サーバ２００の要求処理部２０２ｄは、決済システム６００から決済承認データを受信しなかった（決済非承認通知を受信した）と判定した場合（ステップＳＡ−８：Ｎｏ）、処理をステップＳＡ−９に移行させる。
【００７２】
そして、サーバ２００の要求処理部２０２ｄは、非接触型決済アプリ登録データベース２０６ａに記憶された登録者のオンラインアカウントを含む登録データ、および、取得要求データに基づいて、販売商品および／もしくは表示商品の決済非承認通知を端末装置１００および自動販売機４００に送信し、ユーザによりクーポンが選択されている場合、クーポンデータを端末装置１００に送信し（ステップＳＡ−９）、処理を終了する。
【００７３】
一方、サーバ２００の要求処理部２０２ｄは、決済システム６００から決済承認データを受信したと判定した場合（ステップＳＡ−８：Ｙｅｓ）、処理をステップＳＡ−１０に移行させる。
【００７４】
そして、サーバ２００の要求処理部２０２ｄは、非接触型決済アプリ登録データベース２０６ａに記憶された登録者のオンラインアカウントを含む登録データ、および、取得要求データに基づいて、販売商品および／もしくは表示商品の決済承認通知を端末装置１００および自動販売機４００に送信し、ユーザによりクーポンが選択されている場合、クーポンデータを端末装置１００に送信し（ステップＳＡ−１０）、処理を終了する。ここで、サーバ２００の要求処理部２０２ｄは、ユーザによりオンラインチケットが選択されている場合、オンラインチケットを端末装置１００に送信し、ユーザにより有体物の表示商品が選択されている場合、発送要求データを販売システム８００に送信してもよい。
【００７５】
一方、サーバ２００の要求取得部２０２ｂは、取得要求データに含まれる決済要求データが外貨決済ツールによる決済要求データであると判定した場合（ステップＳＡ−６：Ｙｅｓ）、処理をステップＳＡ−１１に移行させる。
【００７６】
そして、サーバ２００の決済要求送信部２０２ｃは、非接触型決済アプリ登録データベース２０６ａに記憶された登録データおよび取得要求データに基づいて、国内にある外貨決済ツールの決済システム６００に決済要求データを送信する（ステップＳＡ−１１）。
【００７７】
そして、決済システム６００の決済承認部６０２ａは、決済要求データを承認すると判定し、且つ、サーバ２００の要求処理部２０２ｄは、決済システム６００から決済承認データを受信したか否かを判定する（ステップＳＡ−１２）。
【００７８】
そして、決済システム６００の決済承認部６０２ａは、決済要求データを承認しないと判定し、且つ、サーバ２００の要求処理部２０２ｄは、決済システム６００から決済承認データを受信しなかった（決済非承認通知を受信した）と判定した場合（ステップＳＡ−１２：Ｎｏ）、処理をステップＳＡ−１３に移行させる。
【００７９】
そして、決済システム６００の決済承認部６０２ａは、外貨決済ツールによる販売商品の決済非承認通知を端末装置１００に送信し、且つ、サーバ２００の要求処理部２０２ｄは、非接触型決済アプリ登録データベース２０６ａに記憶された登録者のオンラインアカウントを含む登録データ、および、取得要求データに基づいて、外貨決済ツールによる販売商品の決済非承認通知を自動販売機４００に送信し、ユーザによりクーポンが選択されている場合、クーポンデータを端末装置１００に送信し（ステップＳＡ−１３）、処理を終了する。
【００８０】
一方、決済システム６００の決済承認部６０２ａは、決済要求データを承認すると判定し、且つ、サーバ２００の要求処理部２０２ｄは、決済システム６００から決済承認データを受信したと判定した場合（ステップＳＡ−１２：Ｙｅｓ）、処理をステップＳＡ−１４に移行させる。
【００８１】
そして、決済システム６００の決済承認部６０２ａは、外貨決済ツールによる販売商品の決済承認通知を端末装置１００に送信し、且つ、サーバ２００の要求処理部２０２ｄは、非接触型決済アプリ登録データベース２０６ａに記憶された登録者のオンラインアカウントを含む登録データ、および、取得要求データに基づいて、外貨決済ツールによる販売商品の決済承認通知を自動販売機４００に送信し、ユーザによりクーポンが選択されている場合、クーポンデータを端末装置１００に送信し（ステップＳＡ−１４）、処理を終了する。
【００８２】
ここで、図３から図６を参照して、本実施形態におけるスマートベンディング処理の具体例について説明する。図３から図６は、本実施形態におけるスマートベンディング処理の一例を示すフロー図である。
【００８３】
図３に示すように、本実施形態においては、クーポンの選択画面が自動販売機４００のタッチパネル４１２に表示され（ステップＳＢ−１）、ユーザにより飲みたい飲料が選ばれて自動販売機４００にて１００円の飲料が選択され、ならびに、タッチパネル４１２を介してクーポンが選択され（ステップＳＢ−２）、非接触型決済ツール読取部４１０にてスマートフォン１００またはコンタクトレスカードを用いた決済ツール読取処理が実行された場合（ステップＳＢ−３）、１００円の決済要求データおよびクーポン要求データを含む取得要求データがサーバ２００に送信される（ステップＳＢ−４）。
【００８４】
そして、図３に示すように、本実施形態においては、決済ツールの決済システム６００に１００円の決済要求データが送信され（ステップＳＢ−５）、１００円の決済承認データが決済システム６００からサーバ２００に送信された場合（ステップＳＢ−６）、１００円の決済承認通知がサーバ２００から自動販売機４００に送信され（ステップＳＢ−７）、１００円の決済承認通知がサーバ２００からスマートフォン１００に送信されることで（ステップＳＢ−８）、決済結果がすぐにスマートフォン１００に表示される。
【００８５】
そして、図３に示すように、本実施形態においては、ユーザが買った飲料を取り出すことができ（ステップＳＢ−９）、クーポンデータがサーバ２００からスマートフォン１００に送信されることで（ステップＳＢ−１０）、希望したクーポンがその場で受け取れる。
【００８６】
このように、本実施形態においては、自販機に設定したディスプレイ上に、近隣の商店および提携商品等のクーポン表示ができ、スマートフォン決済で飲料を購入する顧客が、同時に、欲しいクーポンを選んで自分のスマートフォンに送付できるようにしている。また、本実施形態においては、クーポンの配布基準を自由に設定でき、例えば、抽選で特別クーポンが当たる等の設定をしてもよい。
【００８７】
また、図４に示すように、本実施形態においては、英語または中国語等の多言語による、写真またはマンガ等も用いた、クーポンの選択画面が自動販売機４００のタッチパネル４１２に表示され（ステップＳＣ−１）、中国から来日したユーザにより飲みたい飲料が選ばれて自動販売機４００にて１００円の飲料が選択され、ならびに、タッチパネル４１２を介してクーポンが選択され（ステップＳＣ−２）、非接触型決済ツール読取部４１０にてスマートフォン１００またはコンタクトレスカードを用いた外貨決済ツール読取処理が実行された場合（ステップＳＣ−３）、１００円の決済要求データおよびクーポン要求データを含む取得要求データがサーバ２００に送信される（ステップＳＣ−４）。
【００８８】
そして、図４に示すように、本実施形態においては、外国電子マネー等運営会社日本法人、または、外国電子マネー等運営会社と提携する国内の企業の外貨決済ツールの決済システム６００に１００円の決済要求データが送信され（ステップＳＣ−５）、１００円の決済承認データが決済システム６００からサーバ２００に送信された場合（ステップＳＣ−６）、１００円の決済承認通知がサーバ２００から自動販売機４００に送信され（ステップＳＣ−７）、６．１元の決済承認通知が決済システム６００からスマートフォン１００に送信されることで（ステップＳＣ−８）、決済結果がすぐにスマートフォン１００に表示される。
【００８９】
そして、図４に示すように、本実施形態においては、ユーザが買った飲料を取り出すことができ（ステップＳＣ−９）、クーポンデータがサーバ２００からスマートフォン１００に送信されることで（ステップＳＣ−１０）、希望したクーポンがその場で受け取れる。
【００９０】
このように、本実施形態においては、コンタクトレスカードリーダにバーコードリーダ等を組込み、スマートフォン画面等に表示されたＱＲコード（登録商標）またはバーコードの読取りを可能とし、ＱＲコード（登録商標）決済による自販機での購入を可能としている。この際、本実施形態においては、スマートフォン画面に表示されたＱＲコード（登録商標）を読み込んで、どの支払方法かを自動選択する機能をコントロールボックスまたはネットワークサーバに持たせ、利用者が好きな決済方法で支払可能としてもよい。また、本実施形態においては、ディスプレイ上に支払い方法を表示し、これを利用者に選択させることも可能としてもよい。更に、本実施形態においては、ディスプレイ上に請求金額のＱＲコード（登録商標）を表示し、これをスマートフォンでスキャンさせてＱＲコード（登録商標）決済可能としてもよい。
【００９１】
また、図５に示すように、本実施形態においては、コンサート等のエンターテイメントのオンラインチケットの選択画面が自動販売機４００のタッチパネル４１２に表示され（ステップＳＤ−１）、ユーザによりタッチパネル４１２を介して２０，０００円のオンラインチケットが選択され（ステップＳＤ−２）、非接触型決済ツール読取部４１０にてスマートフォン１００またはコンタクトレスカードを用いたチケット代金の決済ツール読取処理が実行された場合（ステップＳＤ−３）、２０，０００円の決済要求データおよび商品発送要求データを含む取得要求データがサーバ２００に送信される（ステップＳＤ−４）。
【００９２】
そして、図５に示すように、本実施形態においては、決済ツールの決済システム６００に２０，０００円の決済要求データが送信され（ステップＳＤ−５）、２０，０００円の決済承認データが決済システム６００からサーバ２００に送信された場合（ステップＳＤ−６）、２０，０００円の決済承認通知がサーバ２００から自動販売機４００に送信され（ステップＳＤ−７）、２０，０００円の決済承認通知がサーバ２００からスマートフォン１００に送信されることで（ステップＳＤ−８）、決済結果がすぐにスマートフォン１００に表示される。
【００９３】
そして、図５に示すように、本実施形態においては、オンラインチケットデータがサーバ２００からスマートフォン１００に送信されることで（ステップＳＤ−９）、ユーザが希望したオンラインチケットをその場で受け取れる。
【００９４】
また、図６に示すように、本実施形態においては、最新家電の選択画面が自動販売機４００のタッチパネル４１２に表示され（ステップＳＥ−１）、ユーザによりタッチパネル４１２を介して５０，０００円の掃除機が選択され（ステップＳＥ−２）、非接触型決済ツール読取部４１０にてスマートフォン１００またはコンタクトレスカードを用いたチケット代金の決済ツール読取処理が実行された場合（ステップＳＥ−３）、５０，０００円の決済要求データおよび商品発送要求データを含む取得要求データがサーバ２００に送信される（ステップＳＥ−４）。
【００９５】
そして、図６に示すように、本実施形態においては、決済ツールの決済システム６００に５０，０００円の決済要求データが送信され（ステップＳＥ−５）、５０，０００円の決済承認データが決済システム６００からサーバ２００に送信された場合（ステップＳＥ−６）、５０，０００円の決済承認通知がサーバ２００から自動販売機４００に送信され（ステップＳＥ−７）、５０，０００円の決済承認通知がサーバ２００からスマートフォン１００に送信されることで（ステップＳＥ−８）、決済結果がすぐにスマートフォン１００に表示される。
【００９６】
そして、図６に示すように、本実施形態においては、掃除機の送付先確認通知がサーバ２００からスマートフォン１００に送信され、ユーザにより希望商品の受取先が確認され、スマートフォン１００からサーバ２００に掃除機の送付先指示が送信された場合（ステップＳＥ−９）、商品販売通知（商品明細通知）および送付先指示を含む発送要求データ（配送先明細通知）がサーバ２００から販売システム８００に送信され（ステップＳＥ−１０）、掃除機がユーザの自宅等の住所へ配送されることで（ステップＳＥ−１１）、ユーザが希望した商品を後日受け取れる。
【００９７】
このように、本実施形態においては、自販機に設定したディスプレイ上に商品販売画面を表示し、スマートフォンでのＱＲコード（登録商標）決済等により購入・支払いができ、この際、スマートフォンで登録住所等への送付先指示ができると共に、近隣店舗を送付先として取りに行くこともできるようにしている。
【００９８】
また、本実施形態においては、コンタクトレスカードリーダをクラウド管理の決済サービスに対応し、センタ管理を可能とするため、自販機の内部にアンテナおよびコントロールボックスを内蔵し、コンタクトレスカードリーダの決済をクラウド管理すると共に各自販機の機能改善および仕様追加等が、センタから一括対応できるようにしている。また、本実施形態においては、コンタクトレスカードリーダをフェリカおよびＮＦＣ−Ａ，Ｂ等のチップに対応し、ＮＦＣカード読取も可能としている。また、本実施形態においては、自販機内の適当な場所にディスプレイを設置し、コントロールボックスと接続することで、センタ管理コンテンツによるデジタルサイネージを可能としている。
【００９９】
［３．他の実施形態］
本発明は、上述した実施形態以外にも、特許請求の範囲に記載した技術的思想の範囲内において種々の異なる実施形態にて実施されてよいものである。
【０１００】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１０１】
また、本明細書中や図面中で示した処理手順、制御手順、具体的名称、各処理の登録データや検索条件等のパラメータを含む情報、画面例、データベース構成については、特記する場合を除いて任意に変更することができる。
【０１０２】
また、端末装置１００およびサーバ２００等に関して、図示の各構成要素は機能概念的なものであり、必ずしも物理的に図示の如く構成されていることを要しない。
【０１０３】
例えば、端末装置１００およびサーバ２００等が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて端末装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１０４】
また、このコンピュータプログラムは、端末装置１００およびサーバ２００等に対して任意のネットワーク３００を介して接続されたアプリケーションプログラムサーバに記憶されていてもよく、必要に応じてその全部または一部をダウンロードすることも可能である。
【０１０５】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【０１０６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【０１０７】
記憶部に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１０８】
また、端末装置１００およびサーバ２００等は、既知のパーソナルコンピュータまたはワークステーション等の情報処理装置として構成してもよく、また、任意の周辺装置が接続された当該情報処理装置として構成してもよい。また、端末装置１００およびサーバ２００等は、当該装置に本実施形態で説明した処理を実現させるソフトウェア（プログラムまたはデータ等を含む）を実装することにより実現してもよい。
【０１０９】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１１０】
本発明は、非接触型決済を扱う金融業界、自動販売機業界、および、デジタルサイネージによるインターネットサービスを扱うＩＴ業界等において有用である。
【符号の説明】
【０１１１】
１００  端末装置
１０２  制御部
１０６  記憶部
１１２  入出力部
２００  サーバ
２０２  制御部
２０２ａ  選択画面表示制御部
２０２ｂ  要求取得部
２０２ｃ  決済要求送信部
２０２ｄ  要求処理部
２０６  記憶部
２０６ａ  登録データベース
２０６ｂ  表示項目データベース
３００  ネットワーク
４００  自動販売機
４０２  制御部
４０２ａ  選択画面表示部
４０２ｂ  取得要求送信部
４０６  記憶部
４０６ａ  表示項目データベース
４１０  非接触型決済ツール読取部
４１２  入出力部
６００  決済システム
６０２  制御部
６０２ａ  決済承認部
６０６  記憶部
８００  販売システム
８０２  制御部
８０６  記憶部
【図１】
2020087220.tif 000003
【図２】
2020087220.tif 000004
【図３】
2020087220.tif 000005
【図４】
2020087220.tif 000006
【図５】
2020087220.tif 000007
【図６】
2020087220.tif 000008